(57)【要約】【課題】彫刻用刃物によって効率的に切削できるとともに、手彫りに近い形状の溝に仕上げることが可能な彫刻方法、及び彫刻用刃物を提供する。【解決手段】先端に底切刃１３を有するとともに周面に外周切刃１２を有する彫刻用刃物６を用い、その長さ方向を被彫刻面５に対して傾斜させた状態に支持する。傾斜された彫刻用刃物６を回転させながら移動させ、彫刻用刃物６の底切刃１３及び外周切刃１２を被彫刻面５に当接させる。当接された彫刻用刃物６を傾斜させたまま被彫刻面５に沿って移動させ、被彫刻面５に断面略Ｖ字形の溝１５を形成する。また、彫刻用刃物として、外周切刃の刃先が、軸心方向或いは遠心方向に円弧状に湾曲したものを用いれば、Ｖ字形の溝１５の斜面を窪ませたり膨らませたりすることが可能になる。【選択図】        図２
2004237567.tif 000002
【特許請求の範囲】
【請求項１】
先端に底切刃を有するとともに周面に外周切刃を有する彫刻用刃物を用い、
該彫刻用刃物の長さ方向を被彫刻面に対して傾斜させた状態に支持する支持ステップと、
傾斜された前記彫刻用刃物を回転させながら移動させ、該彫刻用刃物の前記底切刃及び前記外周切刃を前記被彫刻面に当接させる当接ステップと、
当接された前記彫刻用刃物を傾斜させたまま被彫刻面に沿って移動させ、被彫刻面に断面略Ｖ字形の溝を形成する切削ステップと
を順次行い、被彫刻面に所定の模様を彫り刻むことを特徴とする彫刻方法。
【請求項２】
先端に底切刃を有するとともに周面に外周切刃を有し、回転可能に取付けられる彫刻用刃物において、
長さ方向に連続して形成される前記外周切刃の刃先が、回転中心軸に向って円弧状に湾曲していることを特徴とする彫刻用刃物。
【請求項３】
先端に底切刃を有するとともに周面に外周切刃を有し、回転可能に取付けられる彫刻用刃物において、
長さ方向に連続して形成される前記外周切刃の刃先が、遠心方向に向って円弧状に湾曲していることを特徴とする彫刻用刃物。
【発明の詳細な説明】
【０００１】
【発明の属する技術分野】
本発明は、彫刻方法及び彫刻用刃物に関するものであり、特に、彫刻用刃物を高速回転させながら移動させることにより、被彫刻面に断面略Ｖ字形の溝からなる所定の模様を彫り込む彫刻方法、及びその彫刻方法に用いられる彫刻用刃物に関するものである。
【０００２】
【従来の技術】
寺院や神社等の社寺建築物においては、屋根にかかる荷重を支えるため、屋根と天井との間に小屋組が設けられている。小屋組は、梁、束、母屋や棟木等の部材で組上げられており、その最下部には屋根の荷重を柱に伝える横架材が配設されている。この横架材は、その形が虹状に上反りになっていることから、一般に「虹梁」（こうりょう）と呼ばれている。虹梁には、錫杖彫（しゃくじょうぼり）等の線彫が施されており、渦巻きや雲形の文様が彫り込まれている。また、虹梁の下部には、眉形状の繰形（所謂「眉」）が彫刻されている。このような線彫や眉等の彫刻は、桃山時代以後の社寺建築物において見られ、この彫刻により装飾性を高めている。
【０００３】
ところで、これらの彫刻は、いずれも宮大工や職人の手彫りによって作られてきた。このため、職人の技による彫刻の美しさを人々に喚起させるとともに、虹梁の華やかさを醸し出している。しかしながら、これらの彫刻には特殊な技能が要求されることから、限られた職人でなければ実現できず、工業的生産は困難とされていた。また、このような技能を有する職人であっても、大きな虹梁に細かな文様を彫り込むには、多くの作業が必要であり、完成するまでに比較的長い期間を要していた。
【０００４】
そこで、機械的に切削可能な彫刻装置を用いて、虹梁に彫刻を施すことが考えられている。この彫刻装置は、高速で回転する彫刻用刃物を備え、虹梁の被彫刻面に彫刻用刃物の先端を当接させた状態で、彫刻用刃物を被彫刻面に沿って移動させることにより、直線状または曲線状の溝を切削するものである。特に、図９に示すように、彫刻用刃物５０の先端部分は先細になっていることから、彫刻用刃物５０の移動によって形成される溝５１は断面略Ｖ字形となり、また、被彫刻面５２に対する彫刻用刃物５０の当接度合（挿入長さ）を変えることにより、溝５１の幅及び溝５１の深さを変化させることができる。
【０００５】
以上の従来技術は、当業者において当然として行われているものであり、出願人は、この従来技術が記載された文献を知見していない。
【０００６】
【発明が解決しようとする課題】
しかしながら、上記の彫刻方法では、先細の彫刻用刃物を被彫刻面に対して垂直に支持した状態で、断面Ｖ字形の溝を切削することから、形成される溝の傾斜角度は全て一様となり、しかも溝における斜面は全て平面となっていた。この結果、同じ形状の繰返しからなる単純な模様しか形成することができなかった。すなわち、手彫りの味わいがなくなり、彫刻の面白みに欠けるとともに、虹梁の華やかさを十分に醸し出すことができなかった。
【０００７】
そこで、本発明は、上記の実情に鑑み、彫刻用刃物によって効率的に切削できるとともに、手彫りに近い形状の溝に仕上げることが可能な彫刻方法、及びその彫刻方法に好適に使用される彫刻用刃物の提供を課題とするものである。
【０００８】
【課題を解決するための手段】
請求項１の発明にかかる彫刻方法は、先端に底切刃を有するとともに周面に外周切刃を有する彫刻用刃物を用い、該彫刻用刃物の長さ方向を被彫刻面に対して傾斜させた状態に支持する支持ステップと、傾斜された前記彫刻用刃物を回転させながら移動させ、該彫刻用刃物の前記底切刃及び前記外周切刃を前記被彫刻面に当接させる当接ステップと、当接された前記彫刻用刃物を傾斜させたまま被彫刻面に沿って移動させ、被彫刻面に断面略Ｖ字形の溝を形成する切削ステップとを順次行い、被彫刻面に所定の模様を彫り刻むものである。
【０００９】
ここで、「外周切刃」は刃物本体の周囲に螺旋状に設けられたものであってもよく、あるいは縦方向に対称に設けられた一対の刃から構成されたものであってもよい。また、「底切刃」は刃物本体の先端面に設けられたものであり、長さ方向に対して略垂直に形成されている。
【００１０】
したがって、請求項１の発明の彫刻方法によれば、まず彫刻用刃物の長さ方向を被彫刻面に対して傾斜させた状態に支持する。この状態では、被彫刻面に対して外周切刃も底切刃も傾斜した状態となる。その後、彫刻用刃物を回転させながら移動させ被彫刻面に当接させる。すると、彫刻用刃物の底切刃及び外周切刃がともに被彫刻面に当接し、被彫刻面が切削される。特に、底切刃及び外周切刃は互いに略垂直になるように形成され、被彫刻面に対して傾斜した状態で当接することから、断面略Ｖ字形の穴が穿設される。その後、彫刻用刃物を傾斜させたまま被彫刻面に沿って移動させる。すると、断面略Ｖ字形の穴が連続して形成され、この結果断面略Ｖ字形の溝となる。
【００１１】
請求項２の発明にかかる彫刻用刃物は、先端に底切刃を有するとともに周面に外周切刃を有し、回転可能に取付けられる彫刻用刃物において、長さ方向に連続して形成される前記外周切刃の刃先が、回転中心軸に向って円弧状に湾曲しているものである。
【００１２】
したがって、請求項２の発明の彫刻用刃物によれば、外周切刃の刃先が、回転中心軸に向って円弧状に湾曲しているため、外周切刃の長さ方向における形状が円弧状に窪んだ形状となる。この彫刻用刃物を請求項１にかかる彫刻方法に用いると、円弧状に窪んだ外周切刃によって、溝における一方の斜面が切削されることから、円弧状に膨らんだ形状の斜面が形成される。
【００１３】
請求項３の発明にかかる彫刻用刃物は、先端に底切刃を有するとともに周面に外周切刃を有し、回転可能に取付けられる彫刻用刃物において、長さ方向に連続して形成される前記外周切刃の刃先が、遠心方向に向って円弧状に湾曲しているものである。
【００１４】
したがって、請求項３の発明の彫刻用刃物によれば、外周切刃の刃先が、遠心方向に向って円弧状に湾曲しているため、外周切刃の長さ方向における形状が円弧状に膨らんだ形状となる。この彫刻用刃物を請求項１にかかる彫刻方法に用いると、円弧状に膨らんだ外周切刃によって、溝における一方の斜面が切削されることから、円弧状に窪んだ形状の斜面が形成される。
【００１５】
【発明の実施の形態】
以下、本発明の一実施形態である彫刻方法、及びその彫刻方法において使用される彫刻用刃物について、図１乃至図３に基づき説明する。図１は虹梁１の構成を示す正面図であり、図２は彫刻方法の一例を示す説明図であり、図３は彫刻用刃物の構成を示す正面図及び底面図である。
【００１６】
図１に示すように、社寺建築物の小屋組に用いられる虹梁１を作製する際、その表面１ａに渦巻きや雲形の文様からなる線彫２が施されるとともに、下部には複数の眉３が重ねて彫られる。この虹梁１は木材で形成されており、彫刻用刃物６を有する彫刻装置（図示しない）によって線彫２及び眉３が彫り刻まれる。
【００１７】
線彫２及び眉３等の彫刻方法を、図２を基に説明する。まず、彫刻装置における主軸構造の装着部にクランプ機構を介して彫刻用刃物６を取付ける。彫刻装置には、切削可能な回転数で回転する主軸構造、彫刻用刃物６の動きを数値制御するＮＣ装置、及びその他の周辺装置（例えば潤滑装置や切屑自動排出装置）等が具備されている。ＮＣ装置では、彫刻用刃物６の向き、位置、及び回転数が設定されており、予め入力されたプログラムに従って切削加工が行われる。なお、主軸構造及びＮＣ装置等は従来周知の装置であるため、ここでは詳細な説明を省略する。
【００１８】
彫刻用刃物６がクランプ機構に取付けられた状態では、図２（ａ）に示すように、彫刻用刃物６が虹梁１の被彫刻面５に対して傾斜する。彫刻用刃物６は、図３に示すように、被彫刻面５を切削するための刃部９と、クランプ機構に取付けられるシャンク部１０とから構成されている。刃部９には、軸体１１の周面に形成され縦方向（長さ方向）に延設された一対の外周切刃１２と、軸体１１の先端に形成された底切刃１３とが備えられており、また、一対の外周切刃１２の間には切屑排出溝１４が削設されている。なお、外周切刃１２及び底切刃１３は互いに垂直に形成されている。このため、図２（ａ）のように彫刻用刃物６を傾けて支持した場合には、外周切刃１２も底切刃１３も被彫刻面５に対して傾斜した状態となる。ここで、彫刻用刃物６を傾けて支持させる処理が本発明の支持ステップに相当する。
【００１９】
その後、彫刻用刃物６を高速回転させながら下方に移動させると、彫刻用刃物６の先端が被彫刻面５に当接する（図２（ｂ）参照）。つまり、彫刻用刃物６の底切刃１３及び外周切刃１２がともに被彫刻面５に当接し、被彫刻面５を切削する。特に、底切刃１３及び外周切刃１２は互いに略垂直になるように構成され、被彫刻面５に対して傾斜した状態で当接することから、断面略Ｖ字形の穴が穿設される。この際、被彫刻面５に対する彫刻用刃物６の傾斜角度が４５度の場合には、対向する斜面１６，１７の傾斜角度は共に４５度となるが、図２に示すように彫刻用刃物６の傾斜角度αが約３０度に設定されている場合には、一方の斜面１６の傾斜角度が６０度で、他方の斜面１７の傾斜角度が３０度となる。ここで、彫刻用刃物６を被彫刻面５に当接させる処理が本発明の当接ステップに相当する。
【００２０】
その後、彫刻用刃物６を傾斜させたまま被彫刻面５に沿って移動（例えば紙面手前方向に移動）させると、断面Ｖ字形の穴が連続して形成され、この結果断面略Ｖ字形の溝１５となる（図２（ｃ）参照）。つまり、対向する斜面１６，１７に緩急の差を付けた断面略Ｖ字形の溝１５が切削される。なお、彫刻用刃物６の移動させる方向を制御することにより、直線状の溝も曲線状の溝も形成することが可能になる。また、移動途中で彫刻用刃物６の傾斜角度αを変えるようにしてもよく、この場合には、彫り刻まれる模様が一層複雑になる。さらに、移動途中で、被彫刻面５に対する彫刻用刃物６の当接度合すなわち彫刻用刃物６の挿入長さを変えるようにしてもよく、この場合には、溝１５の深さ及び溝の幅がともに変化し、彫刻の模様がさらに複雑になる。ここで、彫刻用刃物６を被彫刻面５に沿って移動させる処理が本発明の切削ステップに相当する。
【００２１】
このように、本例の彫刻方法によれば、彫刻用刃物６によって略Ｖ字形の溝１５を機械的に切削することから、手彫りによる場合と比べ作業効率が向上し、作業者の負担を軽減できるとともに、作業時間も大幅に短縮できる。しかも、対向する斜面１６，１７の傾斜角度を互いに異ならせた断面略Ｖ字形の溝１５を切削することができるため、彫刻の面白みを損なうことなく、手彫りの場合と同様、美感を与えることができる。
【００２２】
続いて、上記彫刻方法において使用される他の彫刻用刃物２０について図４及び図５に基づき説明する。彫刻用刃物２０の主な構成は、上記の彫刻用刃物６と同様、刃部２１とシャンク部２２とから構成され、刃部２１には外周切刃２４、底切刃２５、及び切屑排出溝２６が設けられている。但し、外周切刃２４の刃先２４ａは直線形状ではなく、回転中心軸Ｌに向って円弧状に湾曲している。つまり、彫刻用刃物２０全体として「鼓」状の外観形状となっている。
【００２３】
この彫刻用刃物２０を上記の彫刻方法に適用すると、図５（ａ）に示すように、円弧状に窪んだ外周切刃２４によって、溝２８における一方の斜面２９が切削されることから、図６（ｂ）に示すように、斜面２９は円弧状に膨らんだ形状となる。つまり、彫刻用刃物２０によれば、膨らんだ円弧状の斜面２９を容易に形成できるため、彫刻の模様が一層複雑になり、彫刻の面白さをさらに高めることができる。また、手彫りに近い華やかさを醸し出すことが可能になる。
【００２４】
ところで、図４に示す彫刻用刃物２０では、外周切刃２４の刃先２４ａを回転中心軸Ｌに向って円弧状に湾曲させるものを示したが、図６に示すように、外周切刃３３の刃先３３ａを遠心方向に向って円弧状に湾曲させるようにしてもよい。つまり、この彫刻用刃物３２は全体として「太鼓」状の外観形状となる。なお、上記の彫刻用刃物２０と同一の構成については同一の番号を付し詳細な説明を省略する。
【００２５】
彫刻用刃物３２を上記彫刻方法に適用すると、図７（ａ）に示すように、円弧状に突出した外周切刃３３によって溝３５における一方の斜面３６が切削されることから、図７（ｂ）に示すように斜面３６は円弧状に窪んだ形状の斜面となる。つまり、この彫刻用刃物３２によっても、彫刻の模様が一層複雑になり、彫刻の面白さをさらに高めることができる。
【００２６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００２７】
すなわち、上記の実施形形態では、外周切刃１２，２４，３３として、長さ方向に直線状に延びる一対の刃を、回転中心軸Ｌを中心として対称に配置するものを示したが、例えば図８に示すように、螺旋状に形成された外周切刃４０を備えるようにしてもよい。この外周切刃４０であっても高速回転させることにより、外周切刃４０の形状に応じた斜面を形成することができる。さらに、ツイストドリルや平ぎり等、周知形状のドリルの刃先を、回転中心軸または遠心方向に向って円弧状に湾曲させるようにしてもよい。
【００２８】
また、上記の実施形形態では、断面略Ｖ字形の溝において、一方の斜面２９，３６のみを湾曲させるものを示したが、一方の斜面を彫刻用刃物２０によって切削し、その後、他方の斜面を彫刻用刃物３２によって切削すれば、対向する斜面を互いに異なる形状に湾曲させた溝が作製され、彫刻の面白みをさらに高めることができる。
【００２９】
上記の実施形形態では、虹梁１の被彫刻面５に模様を彫り刻むものを示したが、虹梁１以外の装飾品に対して、本発明の彫刻方法を適用してもよい。また、言うまでもないが、本例の彫刻方法を荒削りとして利用し、その後、職人の手作業によって表面を仕上げるようにしても構わない。また、外周切刃の湾曲率が互いに異なる彫刻用刃物を複数種類製造し、彫刻の模様に応じて使い分けるようにしてもよい。
【００３０】
【発明の効果】
以上のように、請求項１の発明の彫刻方法によれば、手彫りによる場合と比べ作業効率が向上し、作業者の負担を軽減することができる。また、特殊な技能を有しない者でも行うことが可能になる。しかも、対向する斜面の傾斜を互いに異ならせた断面略Ｖ字形の溝を形成することができるため、彫刻の面白みを損なうことなく、手彫りの場合と同様、美感を与えることができる。
【００３１】
請求項２または請求項３の発明の彫刻用刃物によれば、断面略Ｖ字形の溝の斜面に、窪みや膨らみを容易に形成することができる。このため、彫刻の模様が一層複雑になり、彫刻の面白さをさらに高めることができるとともに、彫刻の華やかさを醸し出すことができる。
【図面の簡単な説明】
【図１】虹梁の一部の構成を示す正面図である。
【図２】本発明の一実施形態である彫刻方法を説明するための説明図である。
【図３】一実施形態である彫刻用刃物の構成を示すものであり、（ａ）は正面図、（ｂ）は底面図である。
【図４】他の彫刻用刃物の構成を示す正面図である。
【図５】図４に示す彫刻用刃物によって加工された虹梁の断面形状を示す断面図である。
【図６】更に他の彫刻用刃物の構成を示す正面図である。
【図７】図６に示す彫刻用刃物によって加工された虹梁の断面形状を示す断面図である。
【図８】彫刻用刃物における外周切刃の変形例を示す正面図である。
【図９】従来の彫刻方法を説明するための説明図である。
【符号の説明】
２  線彫（彫刻）
３  眉（彫刻）
５  被彫刻面
６，２０，３２  彫刻用刃物
１２，２４，３３，４０  外周切刃
２４ａ，３３ａ  刃先
１３，２５  底切刃
１５，２８，３５  溝
【図１】
2004237567.tif 000003
【図２】
2004237567.tif 000004
【図３】
2004237567.tif 000005
【図４】
2004237567.tif 000006
【図５】
2004237567.tif 000007
【図６】
2004237567.tif 000008
【図７】
2004237567.tif 000009
【図８】
2004237567.tif 000010
【図９】
2004237567.tif 000011